(57)【要約】【課題】  携帯電話にＭＲ（Mixed Reality）コンテンツを配信することで、いつでもどこでも手軽にＭＲを楽しむことのできるシステムを提供する。【解決手段】  予めＭＲコンテンツを予め記憶しており、要求に応じて当該コンテンツを送信するサーバと、カメラを含む携帯電話と、予め定められた模様又は文字が付されたマーカーと、を備えるシステムであって、前記携帯電話は、前記サーバに対して前記コンテンツのダウンロードを要求し、当該要求に応じて、前記サーバは前記携帯電話へコンテンツを送信し、前記携帯電話は、前記コンテンツを記憶し、前記携帯電話は、所望の位置に配置された前記マーカーを含む画像を取得し、前記携帯電話は、取得された前記画像の前記マーカーの位置に前記コンテンツを表示する。【選択図】              図１
2009055170.tif 000002
【特許請求の範囲】
【請求項１】
ＭＲ（Mixed Reality）コンテンツを予め記憶しており、要求に応じて当該コンテンツを送信するサーバと、カメラを含む携帯電話と、予め定められた模様又は文字が付されたマーカーと、を備えるシステムであって、
前記携帯電話は、前記サーバに対して前記コンテンツのダウンロードを要求し、
当該要求に応じて、前記サーバは前記携帯電話へコンテンツを送信し、
前記携帯電話は、前記コンテンツを記憶し、
前記携帯電話は、所望の位置に配置された前記マーカーを含む画像を取得し、
前記携帯電話は、取得された前記画像の前記マーカーの位置に前記コンテンツを表示する、ことを特徴とする携帯用ＭＲコンテンツ配信システム。
【発明の詳細な説明】
【技術分野】
【０００１】
この発明は、
【背景技術】
【０００２】
近年、複合現実感(Mixed Reality、以下「ＭＲ」)の研究が進められている。ＭＲとは、従来の仮想現実（Virtual Reality）とは異なり、現実世界と仮想世界の融合を目的とする技術である。例えば、カメラで撮影した現実世界の画像にCG（コンピュータ・グラフィックス）で描いた仮想物体を合成して同じ画面上に表示するものである。
【０００３】
【特許文献１】特開2006-345214号公報「３次元イメージデータ配信装置並びに３次元イメージデータ配信方法」
【特許文献２】特開2004-297274号公報「人物画像処理方法及び装置並びにシステム」
【発明の開示】
【発明が解決しようとする課題】
【０００４】
ＭＲは現実世界にCGの仮想物体を出現させるというものであり、産業界や医療・都市計画の分野で応用が期待されている。従来のCGアニメーションでは背景などを現実に完全に一致させることができず、人工的な感触を払拭できず違和感があった。またバーチャルリアリティーを体験するためには、巨大なシアターや装置が必要であった。
【０００５】
特許文献１記載の発明は、３次元イメージデータを携帯電話へ配信する技術である。利用者にとって、従来の２次元イメージデータに加えて、３次元イメージデータを利用できるようになり、それなりに便利である。しかし、特許文献１はＭＲでない。特許文献２は、携帯電話へのコンテンツ配信を開示していない。
【０００６】
この発明は、携帯電話にＭＲコンテンツを配信することで、いつでもどこでも手軽にＭＲを楽しむことのできるシステムを提供することを目的とする。ＭＲにより、従来の２次元や３次元のイメージデータとは違った楽しみ方のできるコンテンツを提供することを目的とする。
【課題を解決するための手段】
【０００７】
この発明は、ＭＲ（Mixed Reality）コンテンツを予め記憶しており、要求に応じて当該コンテンツを送信するサーバと、カメラを含む携帯電話と、予め定められた模様又は文字が付されたマーカーと、を備えるシステムであって、
前記携帯電話は、前記サーバに対して前記コンテンツのダウンロードを要求し、
当該要求に応じて、前記サーバは前記携帯電話へコンテンツを送信し、
前記携帯電話は、前記コンテンツを記憶し、
前記携帯電話は、所望の位置に配置された前記マーカーを含む画像を取得し、
前記携帯電話は、取得された前記画像の前記マーカーの位置に前記コンテンツを表示する、ものである。
【発明を実施するための最良の形態】
【０００８】
図１は、発明の実施の形態に係るシステムの動作説明図である。
図２は、発明の実施の形態に係る携帯電話の使用方法の説明図である。
図３は、図２の画面の拡大図である。
【０００９】
発明の実施の形態に係るシステムは、ＭＲコンテンツを予め記憶しており、要求に応じて当該コンテンツを送信するサーバＳＶと、当該サーバから受けた当該コンテンツを、内蔵するカメラで撮影した画像と合成する携帯電話ＣＰと、を備えるものである。
【００１０】
上記ＭＲコンテンツは、動物やアニメキャラクタなどのＣＧキャラクタや著名人・友人・知人などの実写画像、ＭＲを実現するためのＭＲプログラムからなる。ＭＲコンテンツ自体は公知であるので、その説明は省略する。
【００１１】
携帯電話ＣＰは、サーバＳＶに対して上記コンテンツのダウンロードを要求する（図１の符号１）。
当該要求に応じて、サーバＳＶは携帯電話ＣＰへコンテンツを送信する（同符号２）。
携帯電話ＣＰは、ダウンロードしたコンテンツを記憶する（同符号３）。
【００１２】
利用者は、予め用意されたマーカーＭＫを所望の位置に配置するとともに、携帯電話ＣＰで、内蔵するカメラで当該マーカーＭＫを含む周囲の画像を撮影する（同符号４）。この様子を図２に示す。当該マーカーＭＫの位置に前記コンテンツが表示される。マーカーＭＫは、別途用意される携帯型マーカーや既設のＱＲコードなどである。
【００１３】
利用者は、携帯電話のボタン・キー操作で、ダウンロードしていた上記コンテンツを、携帯電話の表示部上に表示させる（同符号５）。この様子を図３に示す。
【００１４】
なお、別メニューとして、日付や時間等の要素から利用者の意向に関係なくキャラクタを表示させることで、くじや占い的な楽しみ方を利用者に提供することができる。
【００１５】
なお、サーバＳＶは、例えば、ＣＰＵの制御プログラム等を格納するＲＯＭと、コンテンツファイルを受信する処理、コンテンツファイルを変換する変換処理及びコンテンツファイルを送受信する処理等を実施するための各種処理プログラムを実行するＣＰＵと、必要なデータの書き込み及び読み出しを行うＲＡＭと、インターネット網を介して携帯電話とデータの送受信を行うための通信インタフェースとしての通信部とを備える。サーバＳＶは、比較的高速の演算処理が可能な通常のサーバコンピュータである。
【００１６】
サーバＳＶの記憶部には、携帯電話の機種を識別可能な情報を記憶しており、機種ごとに利用可能なパケット通信規格に基づいて通信を行う。また、携帯電話で実行可能なアプリケーションプログラムの種別であるアプリケーション環境種別の情報も記憶しており、機種ごとに実行可能なプログラムを選択して送信する。また、携帯電話の液晶ディスプレイ等にて形成される表示領域の横方向のドット数である画面サイズ（横）、表示領域の縦方向のドット数である画面サイズ（縦）、表示可能な画像フォーマットである対応画像フォーマット等の情報も記憶しており、これらに基づき最適なプログラムが選択される。
【００１７】
サーバＳＶの記憶部には、発明の実施の形態に係るサービス提供の契約をしている携帯電話の識別情報も記憶しており、契約している携帯電話からの要求にのみ応答する。
【００１８】
また、サーバＳＶの記憶部には、コンテンツファイルを識別可能なコンテンツＩＤに対応付けて、コンテンツファイルの名称としてのコンテンツ名と、コンテンツファイルを特定可能なファイル名等からなるコンテンツ情報を登録するためのコンテンツ情報テーブルが記憶されている。
【００１９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００２０】
【図１】図１は、発明の実施の形態に係るシステムの動作説明図である。
【図２】図２は、発明の実施の形態に係る携帯電話の使用方法の説明図である。
【図３】図３は、図２の画面の拡大図である。
【符号の説明】
【００２１】
ＣＰ    携帯電話
ＭＫ    マーカー
ＳＶ    サーバ
【図１】
2009055170.tif 000003
【図２】
2009055170.tif 000004
【図３】
2009055170.tif 000005